(57)【要約】【課題】カラーフィルタのコントラスト比を測定するコントラスト比の測定装置において、２枚の偏光板の偏光軸の平行度、及び直交度を正確に保ち、測定値のバラツキを小さく、精度よく再現性のあるコントラスト比を測定するコントラスト比の測定装置、測定方法を提供する。【解決手段】Ａ）第一偏光板Ｐ１を載置するステージ２を設けたバックライト付き定盤１と、カラーフィルタＣＦを載置するステージ３と、第二偏光板Ｐ２０を載置して回転自在な回転ステージ４を平行に設け、Ｂ）バックライトからの光を検出する輝度計６、Ｃ）回転ステージを回転させる駆動部７、Ｄ）バックライト、回転ステージ、輝度計を制御し、カラーフィルタのコントラスト比を算出する制御部８を具備する。【選択図】図６
2006153698.tif 000002
【特許請求の範囲】
【請求項１】
２枚の偏光板の間にカラーフィルタを挟んでカラーフィルタのコントラスト比を測定するコントラスト比の測定装置において、
Ａ）１．その上面に第一偏光板を載置するステージを設けたバックライト付き定盤と、
２．該定盤上方に、カラーフィルタを載置するステージと、
３．該カラーフィルタを載置するステージ上方に、第二偏光板を載置して回転自在な回転ステージを、平行に設け、
Ｂ）該回転ステージ上方に、バックライトからの光を検出する輝度計、
Ｃ）該回転ステージを回転させる駆動部、
Ｄ）上記バックライト、回転ステージ、輝度計を制御し、カラーフィルタのコントラスト比を算出する制御部、
を少なくとも具備することを特徴とするコントラスト比の測定装置。
【請求項２】
２枚の偏光板の間にカラーフィルタを挟んでカラーフィルタのコントラスト比を測定するコントラスト比の測定方法において、
Ａ）平行に設けられた、その上面に第一偏光板を載置するステージを設けたバックライト付き定盤、その上方のカラーフィルタを載置するステージ、その上方の第二偏光板を載置して回転自在な回転ステージの、該第一偏光板を載置するステージに第一偏光板を載置し、
Ｂ）該第二偏光板を載置して回転自在な回転ステージに、第二偏光板を載置し、Ｃ）第二偏光板が載置された回転自在な回転ステージを回転させて、バックライトからの光が最大に検出される回転ステージの回転角度Ａを設定し、また、バックライトからの光が最小に検出される回転ステージの回転角度Ｂを設定し、回転角度Ａ及び回転角度Ｂを制御部に記憶させ、
Ｄ）上記カラーフィルタを載置するステージにカラーフィルタを載置し、設定した回転ステージの回転角度Ａで輝度Ａを測定し、また、設定した回転ステージの回転角度Ｂで輝度Ｂを測定し、                
制御部において輝度Ａと輝度Ｂからコントラスト比を算出することを特徴とするコントラスト比の測定方法。
【発明の詳細な説明】
【技術分野】
【０００１】
本発明は、カラーフィルタのコントラスト比の測定に関するものであり、特に、液晶表示装置に用いるカラーフィルタのコントラスト比を精度よく測定することのできるコントラスト比の測定装置及び測定方法に関する。
【背景技術】
【０００２】
図４は、液晶表示装置に用いられるカラーフィルタの一例を模式的に示した平面図である。また、図５は、図４に示すカラーフィルタのＸ−Ｘ’線における断面図である。
図４、及び図５に示すように、液晶表示装置に用いられるカラーフィルタは、ガラス基板（４０）上にブラックマトリックス（４１）、着色画素（４２）、及び透明導電膜（４３）が順次に形成されたものである。
図４、及び図５はカラーフィルタを模式的に示したもので、着色画素（４２）は１２個表されているが、実際のカラーフィルタにおいては、例えば、対角１７インチの領域に数百μｍ程度の着色画素が多数個配列されている。
【０００３】
液晶表示装置の多くに用いられている、上記構造のカラーフィルタの製造方法としては、先ず、ガラス基板上にブラックマトリックスを形成してブラックマトリックス基板とし、次に、このブラックマトリックス基板上のブラックマトリックスのパターンに位置合わせして着色画素を形成し、更に透明導電膜を位置合わせして形成するといった方法が広く用いられている。
ブラックマトリックス（４１）は、遮光性を有するマトリックス状のものであり、着色画素（４２）は、例えば、赤色、緑色、青色のフィルタ機能を有するものであり、透明導電膜（４３）は、透明な電極として設けられたものである。
【０００４】
ブラックマトリックス（４１）は、着色画素（４２）間のマトリックス部（４１Ａ）と、着色画素（４２）が形成された領域（表示部）の周辺部を囲む額縁部（４１Ｂ）とで構成されている。
ブラックマトリックスは、カラーフィルタの着色画素の位置を定め、大きさを均一なものとし、また、表示装置に用いられた際に、好ましくない光を遮蔽し、表示装置の画像をムラのない均一な、且つコントラストを向上させた画像にする機能を有している。
【０００５】
このブラックマトリックス基板の製造には、ガラス基板（４０）上にブラックマトリックスの材料としてのクロム（Ｃｒ）、酸化クロム（ＣｒＯX ）などの金属、もしくは金属化合物を薄膜状に成膜し、成膜された薄膜上に、例えば、ポジ型のフォトレジストを用いてエッチングレジストパターンを形成し、次に、成膜された金属薄膜の露出部分のエッチング及びエッチングレジストパターンの剥膜を行い、Ｃｒ、ＣｒＯX などの金属薄膜からなるブラックマトリックス（４１）を形成するといった方法がとられている。
或いは、ガラス基板（４０）上に、ブラックマトリックス形成用の黒色感光性樹脂を用いてフォトリソグラフィ法によってブラックマトリックス（４１）を形成するといった方法がとられている。
【０００６】
また、着色画素（４２）の形成は、このブラックマトリックス基板上に、例えば、顔料などの色素を分散させたネガ型のフォトレジストを用いて塗布膜を設け、この塗布膜への露光、現像によって着色画素を形成するといった方法がとられている。
また、透明導電膜（４３）の形成は、着色画素が形成されたブラックマトリックス基板上に、例えば、ＩＴＯ（Ｉｎｄｉｕｍ  Ｔｉｎ  Ｏｘｉｄｅ）を用いスパッタ法によって透明導電膜を形成するといった方法がとられている。
【０００７】
図４、及び図５に示すカラーフィルタは、液晶表示装置に用いられるカラーフィルタとして基本的な機能を備えたものである。液晶表示装置は、このようなカラーフィルタを内蔵することにより、フルカラー表示が実現し、その応用範囲が飛躍的に広がり、液晶カラーＴＶ、ノート型ＰＣなど液晶表示装置を用いた多くの商品が創出された。
【０００８】
液晶表示装置に用いられるカラーフィルタには、物性として耐熱性、耐光性、耐薬品性などの信頼性が要求され、また、分光特性（明度、色純度、ホワイトバランス）、コントラスト比、寸法精度、平滑性などの各種の特性が要求される。
カラーフィルタのコントラスト比とは、消偏性を指しており、液晶表示装置のコントラストに影響を及ぼす特性である。
【０００９】
２枚の直線偏光の偏光板の偏光軸を平行にした際の透過率と、偏光軸を直交にした際の透過率との比は、略５０００：１程度である。しかし、２枚の偏光板の間にカラーフィルタを挿入した際には、カラーフィルタの消偏性のために透過率の比は低下する。
カラーフィルタのコントラスト比は、図１（ａ）に示すように、第一偏光板（Ｐ１）と第二偏光板（Ｐ２）の偏光軸を平行に保ち、カラーフィルタ（ＣＦ）を第一偏光板（Ｐ１）と第二偏光板（Ｐ２）の間に挟んだときの透過率（輝度Ａ）と、図１（ｂ）に示すように、第一偏光板（Ｐ１）と第二偏光板（Ｐ２）の偏光軸を直交に保ち、カラーフィルタ（ＣＦ）を第一偏光板（Ｐ１）と第二偏光板（Ｐ２）の間に挟んだときの透過率（輝度Ｂ）との比で表される。
【００１０】
色素として染料を用いた際のカラーフィルタのコントラスト比は、略３０００であるが、顔料を用いた際のカラーフィルタのコントラスト比は、略１５００程度に低下する。これは、顔料に偏光を乱す性質があるためであり、顔料自体の種類、顔料の粒径などに依存するものである。
【００１１】
図２は、カラーフィルタのコントラスト比を測定する方法の一例を説明する斜視図である。図２に示すように、透明な基板（１０）上に、直線偏光の第一偏光板（Ｐ１）、カラーフィルタ（ＣＦ）、直線偏光の第二偏光板（Ｐ２）が重ね合わされて載置されている。透明な基板（１０）は、照明用のバックライト（図示せず）上に設けられており、また、透明な基板（１０）の上方には、透過光を検出する輝度計（１２）が設けられている。
【００１２】
バックライトからの光は、透明な基板（１０）、第一偏光板（Ｐ１）、カラーフィルタ（ＣＦ）、第二偏光板（Ｐ２）を経て輝度計（１２）に達する。
透明な基板（１０）上の略中央部で、第一偏光板（Ｐ１）、カラーフィルタ（ＣＦ）、第二偏光板（Ｐ２）を正確に重ね合わせるために、透明な基板（１０）上には、三方ピン（１１）が設けられている。三方ピン（１１）は、第一ピン（１１Ａ）と第二ピン（１１Ｂ）を透明な基板（１０）の長手方向と平行に設け、この２個のピンを結ぶ直線方向に対して、直角な位置に第三ピン（１１Ｃ）を設けたものである。
【００１３】
第一偏光板（Ｐ１）、カラーフィルタ（ＣＦ）、第二偏光板（Ｐ２）の形状は、いずれも矩形であり、直交する２辺の内、長辺を第一ピン（１１Ａ）と第二ピン（１１Ｂ）に、また、短辺を第三ピン（１１Ｃ）に突きあてて重ね合わの位置を合わせる。
また、測定に用いる偏光板は、第一偏光板（Ｐ１）と、第一偏光板（Ｐ１）と偏光軸が平行な第二偏光板Ａ（Ｐ２−Ａ）と、第一偏光板（Ｐ１）と偏光軸が直交する第二偏光板Ｂ（Ｐ２−Ｂ）の３種類である。
【００１４】
第一偏光板（Ｐ１）は、その偏光軸が図２中、矢印で示すように、第一ピン（１１Ａ）と第二ピン（１１Ｂ）の２個のピンを結ぶ直線方向と平行になるように、予め、２個のピ
ンに突きあてる長辺の角度を調整して仕上げておく。また、第三ピン（１１Ｃ）に突きあてる短辺を長辺と直角になるように角度を調整して仕上げておく。
【００１５】
また、第二偏光板Ａ（Ｐ２−Ａ）は、第一偏光板（Ｐ１）と全く同様に、その偏光軸が図２中、矢印で示すように、第一ピン（１１Ａ）と第二ピン（１１Ｂ）の２個のピンを結ぶ直線方向と平行になるように、予め、２個のピンに突きあてる長辺の角度を調整して仕上げておく。また、第三ピン（１１Ｃ）に突きあてる短辺を長辺と直角になるように角度を調整して仕上げておく。
【００１６】
また、第二偏光板Ｂ（Ｐ２−Ｂ）は、その偏光軸が第一ピン（１１Ａ）と第二ピン（１１Ｂ）の２個のピンを結ぶ直線方向と直角になるように、予め、２個のピンに突きあてる長辺の角度を調整して仕上げておく。また、第三ピン（１１Ｃ）に突きあてる短辺を長辺と直角になるように角度を調整して仕上げておく。
【００１７】
カラーフィルタのコントラスト比の測定は、透明な基板（１０）上に、第一偏光板（Ｐ１）、カラーフィルタ（ＣＦ）、及び２種類の第二偏光板（第二偏光板Ａ（Ｐ２−Ａ）と第二偏光板Ｂ（Ｐ２−Ｂ））の内の１種類を重ね合わせて載置し、これらを透過した光を光度計で検出して行う。
図３（ａ）に示すように、先ず、透明な基板（１０）上に、第一偏光板（Ｐ１）、カラーフィルタ（ＣＦ）、偏光軸が長辺と平行な第二偏光板Ａ（Ｐ２−Ａ）を重ね合わせ、平行時の輝度Ａを検出する。次に、図３（ｂ）に示すように、第二偏光板Ａ（Ｐ２−Ａ）を取り外し、代わって偏光軸が長辺と直角な第二偏光板Ｂ（Ｐ２−Ｂ）を重ね合わせ、直交時の輝度Ｂを検出する。
【００１８】
検出した平行時の輝度Ａ及び直交時の輝度Ｂから、下記の数式により容易にカラーフィルタのコントラスト比が算出される。
カラーフィルタのコントラスト比＝平行時の輝度Ａ／直交時の輝度Ｂ
しかしながら、上記のような装置、方法によって、カラーフィルタのコントラスト比を測定すると、例えば、３種類の偏光板を作製する際に、長辺と偏光軸を正確に平行或いは直角に仕上げることは困難であり、多少のエラーが生じてしまう。
また、例えば、三方ピンに第一偏光板（Ｐ１）、第二偏光板Ａ（Ｐ２−Ａ）、第二偏光板Ｂ（Ｐ２−Ｂ）を突きあてる際に、正確に突きあてることは困難であり、多少のエラーが生じてしまう。
また、更には、使用している間に、第一偏光板（Ｐ１）、第二偏光板Ａ（Ｐ２−Ａ）、第二偏光板Ｂ（Ｐ２−Ｂ）の端の磨耗によって、偏光板の端の精度が劣化してしまう。
【００１９】
従って、上記のような装置、方法によって、カラーフィルタのコントラスト比を測定すると、第一偏光板（Ｐ１）の偏光軸と、第二偏光板Ａ（Ｐ２−Ａ）の偏光軸の平行度、及び第一偏光板（Ｐ１）の偏光軸と、第二偏光板Ｂ（Ｐ２−Ｂ）の偏光軸の直交度にエラーが生じ、カラーフィルタのコントラスト比の測定精度が低下し、測定毎の測定値のバラツキは大きくなり、精度よく再現性のあるコントラスト比を測定することは困難となる。
【００２０】
前記第一偏光板（Ｐ１）、第二偏光板Ａ（Ｐ２−Ａ）、第二偏光板Ｂ（Ｐ２−Ｂ）の３種類の偏光板の長辺及び短辺の角度を調整する際に、第一偏光板（Ｐ１）、第二偏光板Ａ（Ｐ２−Ａ）の角度を調整する作業の場合には、偏光軸の平行度の調整であるので、透過光の光量は多く観視し易い。また、平行度がある角度変化（エラー）をしても透過光の変化は少ないので、作業でのエラーが生じてもその影響は小さい。すなわち、透過光が最大になる角度に調整する作業は容易である。
【００２１】
一方、第二偏光板Ｂ（Ｐ２−Ｂ）の角度を調整する作業の場合には、偏光軸の直交度の調整であるので、透過光の光量は少なく観視し難い。また、直交度がある角度変化（エラー）をしても透過光の変化を観視することが難しく、作業でのエラーが生じ易い。すなわち、透過光が最小になる角度に調整する作業は容易でない。第一偏光板（Ｐ１）の偏光軸と直交する偏光軸を第二偏光板Ｂ（Ｐ２−Ｂ）に正確にもたせることは困難である。
【００２２】
逆の表現すると、第二偏光板Ｂ（Ｐ２−Ｂ）の角度を調整する作業において、第一偏光板（Ｐ１）の偏光軸と直交する正確な偏光軸を第二偏光板Ｂ（Ｐ２−Ｂ）にもたせることが出来れば、コントラスト比の測定精度を向上させることが可能となる。
しかし、透過光が最小になる角度に正確に調整する作業は容易でない。上記のような装置、方法によって、カラーフィルタのコントラスト比を測定すると、測定値のバラツキは大きくなり、精度よく再現性のあるコントラスト比を測定することは困難である。  
【発明の開示】
【発明が解決しようとする課題】
【００２３】
本発明は、上記問題を解決するためになされたものであり、２枚の偏光板の間にカラーフィルタを挟んで、２枚の偏光板の偏光軸が平行な際の輝度と、直交する際の輝度の比から、カラーフィルタのコントラスト比を測定するコントラスト比の測定装置において、２枚の偏光板の偏光軸の平行度、及び直交度を正確に保ち、測定値のバラツキを小さく、精度よく再現性のあるコントラスト比を測定することのできるコントラスト比の測定装置を提供することを課題とする。
【００２４】
また、本発明は、２枚の偏光板の間にカラーフィルタを挟んで、２枚の偏光板の偏光軸が平行な際の輝度と、直交する際の輝度の比から、カラーフィルタのコントラスト比を測定するコントラスト比の測定方法において、２枚の偏光板の偏光軸の平行度、及び直交度を正確に保ち、測定値のバラツキを小さく、精度よく再現性のあるコントラスト比を測定することのできるコントラスト比の測定方法を提供することを課題とする。
【課題を解決するための手段】
【００２５】
本発明は、２枚の偏光板の間にカラーフィルタを挟んでカラーフィルタのコントラスト比を測定するコントラスト比の測定装置において、
Ａ）１．その上面に第一偏光板を載置するステージを設けたバックライト付き定盤と、
２．該定盤上方に、カラーフィルタを載置するステージと、
３．該カラーフィルタを載置するステージ上方に、第二偏光板を載置して回転自在な回転ステージを、平行に設け、
Ｂ）該回転ステージ上方に、バックライトからの光を検出する輝度計、
Ｃ）該回転ステージを回転させる駆動部、
Ｄ）上記バックライト、回転ステージ、輝度計を制御し、カラーフィルタのコントラスト比を算出する制御部、
を少なくとも具備することを特徴とするコントラスト比の測定装置である。
【００２６】
また、本発明は、２枚の偏光板の間にカラーフィルタを挟んでカラーフィルタのコントラスト比を測定するコントラスト比の測定方法において、
Ａ）平行に設けられた、その上面に第一偏光板を載置するステージを設けたバックライト付き定盤、その上方のカラーフィルタを載置するステージ、その上方の第二偏光板を載置して回転自在な回転ステージの、該第一偏光板を載置するステージに第一偏光板を載置し、
Ｂ）該第二偏光板を載置して回転自在な回転ステージに、第二偏光板を載置し、Ｃ）第二偏光板が載置された回転自在な回転ステージを回転させて、バックライトからの光が最大
に検出される回転ステージの回転角度Ａを設定し、また、バックライトからの光が最小に検出される回転ステージの回転角度Ｂを設定し、回転角度Ａ及び回転角度Ｂを制御部に記憶させ、
Ｄ）上記カラーフィルタを載置するステージにカラーフィルタを載置し、設定した回転ステージの回転角度Ａで輝度Ａを測定し、また、設定した回転ステージの回転角度Ｂで輝度Ｂを測定し、                
制御部において輝度Ａと輝度Ｂからコントラスト比を算出することを特徴とするコントラスト比の測定方法である。
【発明の効果】
【００２７】
本発明は、Ａ）第一偏光板を載置するステージを設けたバックライト付き定盤と、カラーフィルタを載置するステージと、第二偏光板を載置して回転自在な回転ステージを、平行に設け、Ｂ）バックライトからの光を検出する輝度計、
Ｃ）回転ステージを回転させる駆動部、Ｄ）バックライト、回転ステージ、輝度計を制御し、カラーフィルタのコントラスト比を算出する制御部を少なくとも具備するコントラスト比の測定装置であるので、２枚の偏光板の偏光軸の平行度、及び直交度を正確に保ち、測定値のバラツキを小さく、精度よく再現性のあるコントラスト比を測定することのできるコントラスト比の測定装置となる。
【００２８】
また、本発明は、Ａ）平行に設けられた、第一偏光板を載置するステージを設けたバックライト付き定盤、カラーフィルタを載置するステージ、第二偏光板を載置して回転自在な回転ステージの、第一偏光板を載置するステージに第一偏光板を載置し、
Ｂ）回転自在な回転ステージに、第二偏光板を載置し、Ｃ）回転自在な回転ステージを回転させて、バックライトからの光が最大に検出される回転ステージの回転角度Ａを設定し、また、バックライトからの光が最小に検出される回転ステージの回転角度Ｂを設定し、回転角度Ａ及び回転角度Ｂを制御部に記憶させ、
Ｄ）カラーフィルタを載置するステージにカラーフィルタを載置し、設定した回転ステージの回転角度Ａで輝度Ａを測定し、また、設定した回転ステージの回転角度Ｂで輝度Ｂを測定し、制御部においてコントラスト比を算出するコントラスト比の測定方法であるので、２枚の偏光板の偏光軸の平行度、及び直交度を正確に保ち、測定値のバラツキを小さく、精度よく再現性のあるコントラスト比を測定することのできるコントラスト比の測定方法となる。
【発明を実施するための最良の形態】
【００２９】
以下に本発明の実施の形態を詳細に説明する。
図６は、本発明によるコントラスト比の測定装置の一実施例の断面図である。図６に示すように、コントラスト比の測定装置は、偏光板及びカラーフィルタを載置するステージとして、その上面に偏光板を載置するステージ（２）を設けたバックライト（図示せず）付き定盤（１）と、この定盤上方に、カラーフィルタ（ＣＦ）を載置するステージ（３）と、このカラーフィルタを載置するステージ（３）上方に、本発明における第二偏光板（Ｐ２０）を載置して回転自在な回転ステージ（４）を、平行に設けたものである。
【００３０】
この回転ステージ（４）上方には、バックライトからの光を検出する輝度計（６）が設けられ、回転ステージ（４）に隣接して回転ステージを回転させる駆動部（７）が設けられている。また、上記バックライト、回転ステージ（４）、輝度計（６）を制御し、カラーフィルタのコントラスト比を算出する制御部（８）を備えている。
【００３１】
図６においては、第一偏光板（Ｐ１）、カラーフィルタ（ＣＦ）、及び本発明における第二偏光板（Ｐ２０）が各々のステージに載置された状態を示している。第一偏光板（Ｐ１）は、直線偏光の偏光板であり、偏光板を載置するステージ（２）上に載置され固定さ
れている。カラーフィルタ（ＣＦ）は、例えば、液晶表示装置に用いられるカラーフィルタであり、カラーフィルタを載置するステージ（３）上に載置され固定されている。
【００３２】
回転自在な回転ステージ（４）は、例えば、平面形状は円形であり、隣接する駆動部（７）によって任意の角度を回転し、停止するようになっている。第二偏光板（Ｐ２０）は、直線偏光の偏光板であり、回転自在な回転ステージ（４）上に載置され固定されている。
第二偏光板（Ｐ２０）は、回転自在な回転ステージ（４）の回転に伴い、固定されている第一偏光板（Ｐ１）の偏光軸に対する第二偏光板（Ｐ２０）の偏光軸の角度が変化するようになっている。
【００３３】
バックライトからの光は、偏光板を載置するステージ（２）、第一偏光板（Ｐ１）、カラーフィルタを載置するステージ（３）、カラーフィルタ（ＣＦ）、回転自在な回転ステージ（４）、及び本発明における第二偏光板（Ｐ２０）を経て輝度計（６）に達する。
輝度計（６）で検出された光は、制御部（８）にて演算され、カラーフィルタのコントラスト比が算出される。また、制御部（８）は、バックライト、輝度計（６）、及び駆動部（７）の制御を行う。
【００３４】
このコントラスト比の測定装置を用いての、カラーフィルタのコントラスト比の測定では、予め、第一偏光板（Ｐ１）と第二偏光板（Ｐ２０）の偏光軸の角度設定を行う。角度設定の後にコントラスト比の測定を行う。
予め行う偏光板の偏光軸の角度設定は、第一偏光板（Ｐ１）と第二偏光板（Ｐ２０）の偏光軸の平行度の設定と、第一偏光板（Ｐ１）と第二偏光板（Ｐ２０）の偏光軸の直交度の設定である。角度設定は以下のようにして行われる。
【００３５】
先ず、偏光板を載置するステージ（２）に第一偏光板（Ｐ１）を載置する。第一偏光板（Ｐ１）の偏光軸は、任意であるが、例えば、偏光板を載置するステージ（２）の一辺と略平行なものとし、第一偏光板（Ｐ１）を、偏光板を載置するステージ（２）に固定する。カラーフィルタを載置するステージ（３）にはカラーフィルタ（ＣＦ）を載置しない。また、回転自在な回転ステージ（４）には第二偏光板（Ｐ２０）を載置する。第二偏光板（Ｐ２０）の偏光軸は、任意であるが、例えば、回転自在な回転ステージ（４）の回転目盛りの略０度方向とし、第二偏光板（Ｐ２０）を回転自在な回転ステージ（４）に固定する。
【００３６】
次に、平行度の設定は、バックライトからの光を輝度計（６）で検出しながら、回転自在な回転ステージ（４）を回転させ、輝度が最大になる回転角度を読み取り、その回転角度（回転角度Ａ）をもって、第一偏光板（Ｐ１）の偏光軸と第二偏光板（Ｐ２０）の偏光軸が平行となる回転角度Ａと設定する。
また、直交度の設定は、バックライトからの光を輝度計（６）で検出しながら、回転自在な回転ステージ（４）を回転させ、輝度が最小になる回転角度を読み取り、その回転角度（回転角度Ｂ）をもって、第一偏光板（Ｐ１）の偏光軸と第二偏光板（Ｐ２０）の偏光軸が直交する回転角度Ｂと設定する。
回転角度Ａと回転角度Ｂは制御部（８）に記憶させておく。
【００３７】
角度設定後の、このコントラスト比の測定装置を用いての、カラーフィルタのコントラスト比の測定は以下のようにして行われる。
先ず、回転角度Ａと回転角度Ｂが設定された状態の、このコントラスト比の測定装置の、カラーフィルタを載置するステージ（３）にカラーフィルタ（ＣＦ）を載置し固定する。次に、上記により設定した回転ステージの回転角度Ａで輝度Ａを測定し、また、上記により設定した回転ステージの回転角度Ｂで輝度Ｂを測定する。
【００３８】
続いて、制御部は、得られた輝度Ａと輝度Ｂから下記数式を用いカラーフィルタのコントラスト比を算出するといった測定である。
カラーフィルタのコントラスト比＝平行時の輝度Ａ／直交時の輝度Ｂ
上記のように、本発明によるコントラスト比の測定装置においては、前記、従来の第一偏光板（Ｐ１）、第二偏光板Ａ（Ｐ２−Ａ）、第二偏光板Ｂ（Ｐ２−Ｂ）の３種類の偏光板におけるような、長辺及び短辺の角度を調整して仕上げる作業は不要である。本発明によるコントラスト比の測定装置においては、第一偏光板（Ｐ１）を固定して回転自在な回転ステージ（４）上の第二偏光板（Ｐ２０）を回転させ、透過光を輝度計によって検出するので、偏光軸の平行度及び直交度の設定は正確に、また容易に行うことができる。
【００３９】
特に、前記、第二偏光板Ｂ（Ｐ２−Ｂ）の直交度を正確に調整して仕上げる作業は困難なものであったが、本発明によるコントラスト比の測定装置を用いることによって、正確に、また容易に行うことができる。
【００４０】
また、従来、第一偏光板（Ｐ１）、第二偏光板Ａ（Ｐ２−Ａ）、第二偏光板Ｂ（Ｐ２−Ｂ）を三方ピンに突きあてる際には多少の角度変化（エラー）が生じていたが、本発明によるコントラスト比の測定装置を用いることにより、突きあては不要となり突きあて作業に伴う角度変化（エラー）は発生しない。
また、従来、第一偏光板（Ｐ１）、第二偏光板Ａ（Ｐ２−Ａ）、第二偏光板Ｂ（Ｐ２−Ｂ）を使用している間に、偏光板の端の磨耗によって突きあてる際には多少の角度変化（エラー）が生じていたが、偏光板の端の磨耗は関与しないものとなる。
【００４１】
本発明における、第二偏光板を載置して回転自在な回転ステージ（４）の回転駆動には、パルスモーターを用いることが好ましい。回転角度は、例えば、０．１度〜０．２度の刻みで制御され、この刻みの精度で回転角度Ａ及び回転角度Ｂが設定される。
前記、偏光軸の平行度を調整して仕上げる作業は、作業が容易であること、及び角度変化（エラー）が生じた際の影響が小さいことからして、回転自在な回転ステージ（４）の回転角度の制御は、平行度の際には回転角度の刻み０．２度を採用してもよい。直交度際には回転角度の刻み０．１度が好ましい。
【００４２】
また、本発明における輝度計（６）としては、例えば、測定角２度の範囲を、輝度０．０２ｃｄ／ｍ2 以上において、輝度精度±４％程度で測定できる輝度計を用いることができる。
本発明によるコントラスト比の測定装置を用いることにより、カラーフィルタのコントラスト比の測定精度は、従来の測定精度である±１０％程度に対して、±１％程度の測定精度のものが得られる。
【図面の簡単な説明】
【００４３】
【図１】（ａ）は、カラーフィルタのコントラスト比の説明図である。（ｂ）は、カラーフィルタのコントラスト比の説明図である。
【図２】カラーフィルタのコントラスト比を測定する方法の一例を説明する斜視図である。
【図３】（ａ）は、カラーフィルタのコントラスト比の測定手順の説明図である。（ｂ）は、カラーフィルタのコントラスト比の測定手順の説明図である。
【図４】液晶表示装置に用いられるカラーフィルタの一例を模式的に示した平面図である。
【図５】図４に示すカラーフィルタのＸ−Ｘ’線における断面図である。
【図６】本発明によるコントラスト比の測定装置の一実施例の断面図である。
【符号の説明】
【００４４】
１・・・上面に偏光板を載置するステージを設けたバックライト付き定盤
２・・・偏光板を載置するステージ
３・・・カラーフィルタを載置するステージ
４・・・第二偏光板を載置して回転自在な回転ステージ
６、１２・・・輝度計
７・・・駆動部
８・・・制御部
１０・・・透明な基板
１１・・・三方ピン
４０・・・ガラス基板
４１・・・ブラックマトリックス
４１Ａ・・・ブラックマトリックスのマトリックス部
４１Ｂ・・・ブラックマトリックスの額縁部
４２・・・着色画素
４３・・・透明導電膜
ＣＦ・・・カラーフィルタ
Ｐ１・・・第一偏光板
Ｐ２・・・第二偏光板
Ｐ２−Ａ・・・第一偏光板と偏光軸が平行な第二偏光板Ａ
Ｐ２−Ｂ・・・第一偏光板と偏光軸が直交する第二偏光板Ｂ
Ｐ２０・・・本発明における第二偏光板
【図１】
2006153698.tif 000003
【図２】
2006153698.tif 000004
【図３】
2006153698.tif 000005
【図４】
2006153698.tif 000006
【図５】
2006153698.tif 000007
【図６】
2006153698.tif 000008